(57)【要約】【課題】使い勝手に優れ間接活線作業を容易に行うことができる、把持工具の把持部先端に装着し使用される先端工具及び絶縁ヤットコを提供する。【解決手段】把持具１１１の把持部先端部１１４に装着し使用される先端工具１であって、可動片３１が連結手段を介して固定片１５に回転可能に連結された一対の把持片１１と、前記一対の固定片１５それぞれに設けられた、前記把持具１１１の把持部先端部１１４に装着されるアダプタ６１と、を備え、前記連結手段は、前記可動片３１の回転方向を一方向に制限する。【選択図】図５
2018110490.tif 000002
【特許請求の範囲】
【請求項１】
把持工具の把持部先端に装着し使用される先端工具であって、
可動片が連結手段を介して固定片に回転可能に連結された一対の把持片と、
前記一対の把持片それぞれに設けられた、前記把持工具の把持部先端に着脱自在に装着される装着手段と、
を備え、
前記連結手段は、前記可動片の回転方向を一方向に制限することを特徴とする先端工具。
【請求項２】
前記連結手段は、ラチェット機構を備え、
前記ラチェット機構を介して前記可動片の回転方向を一方向に制限することを特徴とする請求項１に記載の先端工具。
【請求項３】
さらに前記可動片の回転範囲を所定範囲に規制する規制手段を備え、
前記所定範囲の一端が、前記固定片と前記可動片とが一直線上となる位置であることを特徴とする請求項１又は２に記載の先端工具。
【請求項４】
前記可動片の先端に、着脱式の把持体を備えることを特徴とする請求項１から３のいずれか１項に記載の先端工具。
【請求項５】
長尺の操作棒と、可動把持片及び固定把持片を備え前記操作棒の先端部に装着され開閉する把持具とを備える絶縁ヤットコであって、
前記可動把持片の先端部に連結手段を介して回転可能に連結された、把持部を有する可動片と、
前記固定把持片の先端部に連結手段を介して回転可能に連結された、把持部を有する可動片と、
を備え、
前記連結手段は、前記可動片の回転方向を一方向に制限することを特徴とする絶縁ヤットコ。
【発明の詳細な説明】
【技術分野】
【０００１】
本発明は、把持工具の把持部先端に装着し使用される先端工具及び絶縁ヤットコに関する。
【背景技術】
【０００２】
今日、活線状態の配電線に対する作業は、間接活線工具を使用した間接活線工法が一般的であり、作業者は用途に応じた間接活線工具（ホットスティック）を適宜選択し作業を行っている。例えば、柱上変圧器を保護する機器である高圧カットアウトの閉止蓋の装着には長尺な絶縁ヤットコがよく使用される。絶縁ヤットコは、物を把持する一般的な工具であるが、このような工具で高圧カットアウトの閉止蓋を装着することは簡単ではない。
【０００３】
このため高圧カットアウトの閉止蓋を装着するための専用の間接活線工具も考案されている（例えば特許文献１、２参照）。また特許文献３には、高圧カットアウトの閉止蓋の装着のみらず幅広い間接活線工法に使用可能で使い易い間接活線工具が記載されている。この間接活線工具は、従来の絶縁ヤットコをベースとし、ヤットコの先端部にヤットコの開閉方向と直交する方向に回動可能な把持部を設けたものである。
【先行技術文献】
【特許文献】
【０００４】
【特許文献１】特開平１１−１７０１７９号公報
【特許文献２】特開２００８−２４３６１４号公報
【特許文献３】特開２０１６−１１９８２５号公報
【発明の概要】
【発明が解決しようとする課題】
【０００５】
特許文献１及び特許文献２に記載の間接活線工具は、高圧カットアウトの閉止蓋を装着するための専用の間接活線工具であるため、絶縁ヤットコ等と異なり使用する頻度が少なく、作業者の技能によって作業性が大きく異なる。これに対して特許文献３に記載の間接活線工具は、絶縁ヤットコを基に改良したものであるため作業者にとっては扱い慣れた使い易い工具であり、その点では使い易い工具と言える。
【０００６】
特許文献３の他にも、従来の絶縁ヤットコを改良した間接活線工具が提案されているが、これら間接活線工具も高圧カットアウトの閉止蓋の装着のように動きの多い作業を行うにはさらなる改善が望まれる。
【０００７】
本発明の目的は、使い勝手に優れ間接活線作業を容易に行うことができる、把持工具の把持部先端に装着し使用される先端工具及び絶縁ヤットコを提供することである。
【課題を解決するための手段】
【０００８】
本発明は、把持工具の把持部先端に装着し使用される先端工具であって、可動片が連結手段を介して固定片に回転可能に連結された一対の把持片と、前記一対の把持片それぞれに設けられた、前記把持工具の把持部先端に着脱自在に装着される装着手段と、を備え、前記連結手段は、前記可動片の回転方向を一方向に制限することを特徴とする先端工具である。
【０００９】
また本発明の先端工具において、前記連結手段は、ラチェット機構を備え、前記ラチェット機構を介して前記可動片の回転方向を一方向に制限することを特徴とする。
【００１０】
また本発明の先端工具は、さらに前記可動片の回転範囲を所定範囲に規制する規制手段を備え、前記所定範囲の一端が、前記固定片と前記可動片とが一直線上となる位置であることを特徴とする。
【００１１】
また本発明の先端工具は、前記可動片の先端に、着脱式の把持体を備えることを特徴とする。
【００１２】
本発明は、長尺の操作棒と、可動把持片及び固定把持片を備え前記操作棒の先端部に装着され開閉する把持具とを備える絶縁ヤットコであって、前記可動把持片の先端部に連結手段を介して回転可能に連結された、把持部を有する可動片と、前記固定把持片の先端部に連結手段を介して回転可能に連結された、把持部を有する可動片と、を備え、前記連結手段は、前記可動片の回転方向を一方向に制限することを特徴とする絶縁ヤットコである。
【発明の効果】
【００１３】
本発明によれば、使い勝手に優れ間接活線作業を容易に行うことができる、把持工具の把持部先端に装着し使用される先端工具及び絶縁ヤットコを提供することができる。
【図面の簡単な説明】
【００１４】
【図１】本発明の第１実施形態の先端工具１の斜視図である。
【図２】本発明の第１実施形態の先端工具１の斜視図である。
【図３】本発明の第１実施形態の先端工具１の連結手段４６の構成を説明するための図である。
【図４】本発明の第１実施形態の先端工具１を絶縁ヤットコ１０１に装着した斜視図である。
【図５】本発明の第１実施形態の先端工具１を絶縁ヤットコ１０１に装着した斜視図である。
【図６】本発明の第１実施形態の先端工具１を使用例を示す図である。
【図７】本発明の第１実施形態の先端工具１を使用例を示す図である。
【図８】本発明の第１実施形態の先端工具１を使用例を示す図である。
【図９】本発明の第１実施形態の先端工具１を使用例を示す図である。
【図１０】本発明の第２実施形態の先端工具２の構成を示す斜視図である。
【図１１】本発明の第３実施形態の絶縁ヤットコ３の斜視図である。
【図１２】本発明の第３実施形態の絶縁ヤットコ３の斜視図である。
【発明を実施するための形態】
【００１５】
図１及び図２は、本発明の第１実施形態の先端工具１の斜視図、図３は、第１実施形態の先端工具１の連結手段４６の構成を説明するための図、図４及び図５は、第１実施形態の先端工具１を絶縁ヤットコ１０１に装着した斜視図である。
【００１６】
先端工具１は、把持工具の把持部先端に装着し使用される先端工具であり、把持工具には、絶縁ヤットコを好適に使用することができる。ここで使用される絶縁ヤットコには、公知の絶縁ヤットコを使用可能であり、特定の絶縁ヤットコに限定されるものでない。絶縁ヤットコ１０１の構成については後述する。
【００１７】
先端工具１は、一対の把持片１１と、各把持片１１を絶縁ヤットコ１０１の把持部先端１１４に装着するためのアダプタ６１とを備える。一対の把持片１１及びアダプタ６１は、同一形状、同一構造である。
【００１８】
把持片１１は、固定片１５、可動片３１、固定片１５と可動片３１とを連結する連結手段４６とを含み、連結手段４６を介して可動片３１が固定片１５に対して一方向にのみ回転可能で逆方向には回転不能に連結されている。
【００１９】
固定片１５は、横断面が矩形の金属製の棒部材であり、基端部１６にアダプタ６１が、固定片１５の先端部１７側に連結手段４６が取付けられる。
【００２０】
固定片１５の横断面の大きさは、絶縁ヤットコ１０１の把持部先端１１４の大きさと略同一である。固定片１５の横断面の大きさは、これに限定されるものではないが、絶縁ヤットコ１０１の把持部先端１１４の大きさと略同一とすると、固定片１５を絶縁ヤットコ１０１の把持部１１３の一部と捉えることができるので、絶縁ヤットコ１０１に先端工具１を装着した際に違和感なく使用することができる。固定片１５の長さは特に限定されるものではなく、用途等を考慮し適宜決定すればよい。
【００２１】
固定片１５は、中央部に長手方向に直交するように段差１８が設けられ、段差１８より先端部１７側は、厚さが基端部１６の半分となっている。この段差１８は、可動片３１の回転範囲を規制するストッパとして機能する。固定片１５の先端部１７は、半円状となっている。これは可動片３１を回転させた際に、可動片３１が固定片１５に衝突することを回避するためである。
【００２２】
可動片３１も固定片１５と同様の横断面が矩形の金属製の棒部材であり、基端部３２側に連結手段４６が取付けられ、先端部３３側が把持部３４となる。
【００２３】
可動片３１の横断面の大きさは、固定片１５の横断面積と同一である。これにより可動片３１と固定片１５とを一直線上にしたとき、一本物の把持片と同じ感覚が得られるので違和感なく使用することができる。但し、可動片３１の横断面の大きさは、これに限定されるものではない。可動片３１の長さも特に限定されるものではなく、用途等を考慮し適宜決定すればよい。
【００２４】
可動片３１は、中央部に長手方向に直交するように段差３５が設けられ、段差３５より基端部３２側は、厚さが先端部３３側の半分となっている。この段差３５は、可動片３１の回転範囲を規制するストッパとして機能する。可動片３１の基端部３２は、固定片１５の先端部１７と同様に半円状となっている。これは可動片３１を回転させた際に、可動片３１が固定片１５に衝突することを回避するためである。
【００２５】
可動片３１の先端部３３も丸味を帯びた形状となっている。これは物を把持し易くするためである。但し、可動片３１の先端部３３の形状は、これに限定されるものではなく、用途に適した形状を採用することができる。
【００２６】
連結手段４６は、固定片１５の先端部１７と可動片３１の基端部３２とを回転自在に連結する手段であり、ラチェット機構５１を内蔵する。本先端工具１においては固定片１５に連結される可動片３１は、ラチェット機構５１により一方向に回転が制限されている。
【００２７】
連結手段４６は、可動片３１の基端部３２に固着された回転軸４７と、固定片１５の先端部１７に設けられた軸受４８とを含み、回転軸４７が軸受４８に回転自在に嵌め込まれることで、可動片３１と固定片１５とは回転自在に連結される。
【００２８】
ラチェット機構５１は、公知のラチェット機構と同様にラチェット歯車５２、ラチェット歯車５２と噛合離脱可能な戻り防止爪（図示省略）、及び戻り防止爪をラチェット歯車５２に回動可能に付勢する付勢機構（図示省略）を含む。ラチェット歯車５２は、回転軸４７の下部の外周面に取付けられている。
【００２９】
固定片１５の先端部１７には、ラチェット歯車５２、戻り防止爪及び付勢機構（図示省略）を収納可能な空間部１９が設けられており、空間部１９は、底蓋２０と上面２１とで塞がれている。底蓋２０及び上面２１には、回転軸４７が回転自在に嵌合する貫通孔２２、２３が設けられ、この貫通孔２２、２３が軸受として機能する。また固定片１５の先端部１７には、戻り防止爪の切替レバー５４が突出する窓２４が設けられている。
【００３０】
可動片３１の基端部３２には、回転軸４７が嵌合する貫通孔３６が穿設されている。回転軸４７は、上部を貫通孔３６に挿通し、可動片３１に対して回転不能に固着されている。回転軸４７に取付けられたラチェット歯車５２は、戻り防止爪及び付勢機構（図示省略）と共に固定片１５の空間部１９に収容されラチェット機構５１を形成する。
【００３１】
また可動片３１の基端部３２の一方の側部３７には、可動片３１の回転範囲を規制するストッパ３８が設けられている。ストッパ３８は短冊状の部材であり、可動片３１と一体的に回転し、可動片３１と固定片１５とを一直線としたとき、先端部が固定片１５の側部２５に当接するように設けられている。
【００３２】
アダプタ６１は、把持片１１を絶縁ヤットコ１０１の把持部先端部１１４に装着するための部材であり、固定片１５の基端部１６に取付けられている。アダプタ６１は、一面が開口した略直方体形状の筒状の本体６２と、本体６２に取付けられた係合ピン６５とを有する。
【００３３】
本体６２は、開口面６３が絶縁ヤットコ１０１の把持部先端部１１４への挿入口であり、把持部先端部１１４にしっかり固定することができるように把持部先端部１１４とほぼ同じ大きさの空間を有する。係合ピン６５は、ピン６６と円筒状の基台６７と、スプリング（図示省略）とを備える。本体６２にピン６６が突出可能な貫通孔（図示省略）が設けられ、該貫通孔を覆うように基台６７が取付けられている。
【００３４】
係合ピン６５は、基台６７内に配置されたスプリングより、先端が本体６２内に突出するように付勢されている。ピン６６を本体６２側と反対方向に引き上げ、アダプタ６１を絶縁ヤットコ１０１の把持部先端部１１４に挿入し、ピン６６を離せば、ピン６６の先端部が、把持部先端部１１４に設けられた係止孔（図示省略）に嵌り込み、把持片１１が固定される。
【００３５】
なお、アダプタ６１は、把持片１１を絶縁ヤットコ１０１の把持部先端部１１４に安定的に取付けることができるものであればよく、上記実施形態に限定されるものではない。またアダプタ６１は、把持片１１を絶縁ヤットコ１０１の把持部先端部１１４に着脱可能に装着する手段であるから、アダプタ６１に代え、他の装着手段を用いてもよい。例えば、固定片１５の基端部１６に貫通孔を、絶縁ヤットコ１０１の把持部先端部１１４に貫通孔又はねじ孔を設け、ボルト止めしてもよい。
【００３６】
上記先端工具１を使用する際に装着する絶縁ヤットコ１０１について説明する（図４、図５参照）。絶縁ヤットコ１０１は、把持具１１１と長尺の絶縁操作棒１３１とからなり、把持具１１１は、絶縁操作棒１３１の先端部に取付け使用される。
【００３７】
把持具１１１は、固定把持片１１５と可動把持片１２１とを備え、固定把持片１１５と可動把持片１２１とで把持部１１３を構成する。固定把持片１１５と可動把持片１２１とは回動軸１２５を介して回動自在に連結され、可動把持片１２１は、回動軸１２５を中心に固定把持片１１５に近接又は離反するように回動する。
【００３８】
固定把持片１１５は、外側に張り出すように湾曲しており、先端部はほぼ平坦となっている。固定把持片１１５は、中央部において回動軸１２５を介して可動把持片１２１と連結し、基端部１１７は、絶縁操作棒１３１の主操作棒１３３に連結する。
【００３９】
可動把持片１２１は、固定把持片１１５に対向するように位置し、固定把持片１１５と反対方向の外側に張り出すように湾曲しており、先端部はほぼ平坦となっている。可動把持片１２１は、中央部において回動軸１２５を介して固定把持片１１５と連結し、基端部１２３は、連結軸１２４を介して絶縁操作棒１３１の副操作棒１３５に回動自在に連結する。
【００４０】
絶縁操作棒１３１は、絶縁性の部材からなる長尺の棒状体であり、途中に水切り鍔１３７が取付けられている。絶縁操作棒１３１は、主操作棒１３３及び副操作棒１３５を有し、副操作棒１３５の基端部には、副操作棒１３５を動かすためのハンドルレバー１４１が設けられており、ハンドルレバー１４１を操作することで副操作棒１３５が往復動する。これに伴い副操作棒１３５に連結する可動把持片１２１が、回動軸１２５を中心に回動し、把持部１１３が開閉する。
【００４１】
絶縁ヤットコ１０１には、固定把持片１１５の角度を可変可能な絶縁ヤットコなど種々の形態のものがあるが、ここでは先端工具１を把持部１１３の先端に取付け可能であり、先端工具１を開閉することができればよく、特定の形態の絶縁ヤットコに限定されない。また本実施形態では、把持工具に絶縁ヤットコ１０１を使用するが、絶縁ヤットコ１０１と同様に先端工具１を取付け可能で、先端工具１を簡単、確実に開閉することができれば他の間接活線作業可能な把持工具であってもよい。
【００４２】
絶縁ヤットコ１０１に取付けられた先端工具１の基本的な動きを説明する。以下、可動片３１が固定片１５に対して一直線状となる位置をＡ点、直交する位置をＢ点とする（図５参照）。
【００４３】
先端工具１は、アダプタ６１を介して絶縁ヤットコ１０１の把持部１１３の先端に固定されている。この状態で絶縁ヤットコ１０１のハンドルレバー１４１を介して副操作棒１３５を動かすと可動把持片１２１に固定された方の把持片１１も動き、左右一対の把持片１１を開閉することができる。この把持片１１の開閉方向は、絶縁ヤットコ１０１の把持部１１３の開閉方向（図４参照）と同じである。
【００４４】
さらに先端工具１は、可動片３１を固定片１５に対してＡ点〜Ｂ点の範囲内で回転させることができる（図５参照）。可動片３１の固定片１５に対する回転方向は、絶縁ヤットコ１０１の把持部１１３の開閉方向と直交する方向である。可動片３１の回転可能な方向は、Ｂ点からＡ点に向かう方向であり、Ａ点からＢ点に向かって回転させることはできない。これは可動片３１と固定片１５とが一方向にのみ回転可能なラチェット機構５１を内蔵する連結手段４６により連結されているためである。
【００４５】
Ａ点にある可動片３１をＢ点の位置とするには、ラチェット機構５１の戻り防止爪の切替レバー５４を動かし、ラチェット歯車５２と戻り防止爪（図示省略）とを離脱させた状態で可動片３１を動かす。固定片１５の段差１８及び可動片３１の段差３５は、それぞれ可動片３１の側部３７及び固定片１５の側部２５が当接したとき可動片３１が固定片１５に直交する位置となるように設けられており、可動片３１を固定片１５の直交方向に一杯に回転させると可動片３１をＢ点とすることができる。
【００４６】
可動片３１をＢ点とした後、戻り防止爪の切替レバー５４をラチェット歯車５２と戻り防止爪（図示省略）とが噛合する位置に戻す。この状態においては、可動片３１をＡ点の方向に回転させることができるが、回転途中でＢ点方向に逆戻りさせることはできない。換言すれば、可動片３１が回転途中で不意に逆方向に動くことはない。
【００４７】
可動片３１をＢ点からＡ点方向に一杯に回転させると、ストッパ３８が固定片１５の側部２５に当接した状態で止まる。この位置は、可動片３１と固定片１５とが一直線状となる位置に設定されているため、可動片３１を固定片１５と一直線となる方向に一杯に回転させるだけで可動片３１をＡ点とすることができる。
【００４８】
可動片３１は、Ａ点とＢ点との範囲内に止め置くこともできる。可動片３１は、この状態からＡ点方向に回転させることはできるが、Ｂ点方向に回転させることはできない。
【００４９】
次に先端工具１の使用例を示す。図６から図９は、先端工具１を使用して円筒形カットアウト２０１の閉止蓋２０５を、カットアウト本体２０３の底部開口部２０４に装着する様子を示す図である。ここに示す先端工具１の使用方法は、一例であり先端工具１の使用方法がこれに限定されるものではない。
【００５０】
円筒形カットアウト２０１は、ヒューズ筒（図示省略）の交換等のためにカットアウト本体２０３から閉止蓋２０５が取外され、閉止蓋２０５が吊り紐２１１にぶら下がっている状態であり、この状態から絶縁ヤットコ１０１に取付けられた先端工具１を用いて閉止蓋２０５をカットアウト本体２０３の底部開口部２０４に装着する。
【００５１】
可動片３１を固定片１５に対して直交した状態とし、絶縁操作棒１３１を操作し閉止蓋２０５の突起２０６を把持片１１で把持する（図６参照）。ラチェット機構５１は、閉止蓋２０５のカットアウト本体２０３の底部開口部２０４への装着が終了するまで解除されない。
【００５２】
図６の状態から絶縁ヤットコ１０１を下方に引っ張ると、閉止蓋２０５は吊り紐２１１が張った状態で止まるため、可動片３１は、回転軸４７を起点に回動し、最終的には可動片３１が固定片１５に対して一直線となる（図７参照）。
【００５３】
この状態から閉止蓋２０５の蓋部２０７の上部をカットアウト本体２０３の底部開口部２０４に軽く押し当て（図８参照）、閉止蓋２０５を先端工具１で把持した状態で蓋部２０６全体が真上を向くように閉止蓋２０５を９０°回転させる。その後、閉止蓋２０５を底部開口部２０４の真下に移動させ絶縁ヤットコ１０１を押し上げ、カットアウト本体２０３の底部開口部２０４に閉止蓋２０５を装着する（図９参照）。
【００５４】
以上のように第１実施形態の先端工具１は、絶縁ヤットコ１０１に取付け使用する工具であって、従来の絶縁ヤットコと同じ操作要領で使用することができるので容易に使用することができる。また可動片３１の回転範囲が固定片１５に対して０〜９０°の範囲に限定され、さらに回転方向も一方向に限定されているので使用中に可動片３１が不意に逆方向に回転することがなく使い易い。
【００５５】
また可動片３１を固定片１５に対して０〜９０°の範囲内で任意の角度で使用することもでき、さらに使用途中で角度変更も可能なため使い勝手に優れる。この場合も可動片３１は逆方向には戻らないので安心して使用できる。また先端工具１の把持部３４の形状も対象物を把持し易い形状を採用することができるので使い勝手に優れる。
【００５６】
図１０は、本発明の第２実施形態の先端工具２の構成を示す斜視図である。図１から図５に示す本発明の第１実施形態の先端工具１と同一の構成には同一の符号を付して説明を省略する。第２実施形態の先端工具２は、第１実施形態の先端工具１と基本構成を同じくし、絶縁ヤットコ１０１などの把持工具に取付け使用するなど使用要領も第１実施形態の先端工具１と同じである。図１０では、一方の把持片１１及びアダプタ６１の記載を省略している。
【００５７】
先端工具２は、把持片１１の把持部の構造が先端工具１と異なる。先端工具１では、可動片３１の先端部に把持部３４が一体的に設けられているが、先端工具２においては可動片３１の先端部に着脱式の把持体４１が取付けられている。把持体４１は、円盤状の把持部４２と取付部４３を有し、取付部４３が可動片３１の先端部３３にねじ止めされる。
【００５８】
把持体４１の可動片３１の先端部３３への固定方法は、ねじ止めに限定されるのではなく、先端工具２の把持片１１の固定に使用するアダプタ６１と同様のアダプタを使用してもよい。要すれば把持体４１を可動片３１の先端部３３に対して、簡単、確実に着脱可能に固定することができればよい。
【００５９】
本実施形態の把持体４１は円盤形状の把持部４２を有するが、把持部４２の形状も特に限定されるものではなく、対象物を把持し易い形状とすればよい。予め把持対象物に応じた種々の形態の把持体４１を準備しておけば格段に使い勝手が向上し、作業も楽に行える。
【００６０】
図１１及び図１２は、本発明の第３実施形態の絶縁ヤットコ３の斜視図である。図１から図５に示す本発明の第１実施形態の先端工具１及び絶縁ヤットコ１０１と同一の構成には同一の符号を付して説明を省略する。第３実施形態の絶縁ヤットコ３は、大略的には第１実施形態の先端工具１を絶縁ヤットコ１０１の把持具１１１の先端に一体的に取付けた構造からなり、使用方法、作用効果も第１実施形態の先端工具１と基本的に同じである。
【００６１】
絶縁ヤットコ３は、先端工具１の固定片１５に該当する部分が、固定把持片１１５の先端部１１６及び可動把持片１２１の先端部１２２に設けられている。これにより固定把持片１１５の先端部１１６に可動片３１を連結手段４６を介して回転可能に取付けることができる。同様に可動把持片１２１の先端部１２２に可動片３１が連結手段４６を介して回転可能に取付けられる。
【００６２】
固定把持片１１５と可動片３１とを連結する連結手段、可動把持片１２１と可動片３１とを連結する連結手段は、第１実施形態の連結手段４６と同一であり、ラチェット機構５１を内蔵する。このため可動片３１の回転範囲が固定把持片１１５又は可動把持片１２１に対して０〜９０°の範囲に限定され、さらに回転方向も一方向に限定されている点も第１実施形態の先端工具１と同じである。
【００６３】
以上からなる絶縁ヤットコ３は、把持部１１３の先端を把持具１１１の開閉方向と直交する方向に回転させ使用することができるので使い勝手に優れる。また絶縁ヤットコ３に第２実施形態の先端工具２の可動片３１及び取替え可能な把持体４１を使用すればさらに使い勝手が増す。また絶縁ヤットコ３は、従来の絶縁ヤットコと同じ操作要領で使用することができるので容易に使用することができる。
【００６４】
以上、第１及び第２実施形態の先端工具１、２及び第３実施形態の絶縁ヤットコ３を用いて本発明に係る先端工具及び絶縁ヤットコについて説明したが、本発明に係る先端工具及び絶縁ヤットコは、上記実施形態に限定されるものではなく、要旨を変更しない範囲で変更して使用することができる。例えば、上記実施形態では、可動片３１の固定片１５に対する可動範囲は９０°であるが、可動片３１の可動範囲を１２０°としてもよい。また把持対象物も高圧カットアウトの閉止蓋に限定されないことは言うまでもない。
【００６５】
図面を参照しながら好適な実施形態を説明したが、当業者であれば、本明細書を見て、自明な範囲内で種々の変更及び修正を容易に想定するであろう。従って、そのような変更及び修正は、請求の範囲から定まる発明の範囲内のものと解釈される。
【符号の説明】
【００６６】
１、２  先端工具
３  絶縁ヤットコ
１１  把持片
１５  固定片
１８  固定片段差
１９  固定片空間部
３１  可動片
３５  可動片段差
３８  ストッパ
４１  把持体
４６  連結手段
４７  回転軸
４８  軸受
５１  ラチェット機構
５２  ラチェット歯車
６１  アダプタ
１０１  絶縁ヤットコ
１１１  把持具
１１３  把持部
１１４  把持部先端部
１１５  固定把持片
１２１  可動把持片
１３１  絶縁操作棒
【図１】
2018110490.tif 000003
【図２】
2018110490.tif 000004
【図３】
2018110490.tif 000005
【図４】
2018110490.tif 000006
【図５】
2018110490.tif 000007
【図６】
2018110490.tif 000008
【図７】
2018110490.tif 000009
【図８】
2018110490.tif 000010
【図９】
2018110490.tif 000011
【図１０】
2018110490.tif 000012
【図１１】
2018110490.tif 000013
【図１２】
2018110490.tif 000014